(57)【要約】      （修正有）【課題】適用や取扱に便利な、２枚のゲルシート製のフェイスマスクを収納するに適した２枚のフェイスマスクの収納容器を提供する。【解決手段】化粧用フェイスマスクの収納容器は、本体と蓋とで構成される。本体は、最外周である周辺部１と、周辺部の内部に周辺部より窪んだ底面部２と、底面部の内部に底面部より高い架台部３と、さらにそれより高く周辺部と同一平面上にある高台部４を有する。蓋は、最外周である蓋周辺部と、本体の底面部に対応する位置に底面部と同一形状の窪み部を有し、本体の高台部に対応する位置に蓋周辺部と同一平面上にある上面部を有する。化粧用フェイスマスク２枚１組を上下に重ねて収納できる。【選択図】図５
0003185681.tif 000002
【実用新案登録請求の範囲】
【請求項１】
本体と蓋とで構成され、
該本体は、最外周である周辺部と、該周辺部の内部に該周辺部より窪んだ底面部と、該底面部の内部に該底面部より高い架台部と、さらにそれより高く該周辺部と同一平面上にある高台部を有し、
該蓋は、最外周である蓋周辺部と、該本体の底面部に対応する位置に該底面部と同一形状の窪み部を有し、該本体の高台部に対応する位置に蓋周辺部と同一平面上にある上面部を有することを特徴とし、
化粧用フェイスマスク２枚１組を上下に重ねて収納収容でき、
化粧用フェイスマスクの目と口の穴を高台部に通して化粧用フェイスマスクを固定している化粧用フェイスマスク収納容器。
【請求項２】
前記本体の底面部と架台部の上部全面、及び前記蓋の窪みの下部全面に高さ及び径が０．５〜１．５ｍｍの多数の凹凸部が設けられていることを特徴とする請求項１に記載の化粧用フェイスマスク収納容器。
【請求項３】
前記化粧用フェイスマスクの剥離シートが耳を有するとき、耳の形状に合わせて前記底面部を拡張したことを特徴とする請求項１又は請求項２のいずれかに記載の化粧用フェイスマスク収納容器。
【請求項４】
２枚を１組とし、
１枚には目の穴を設け、他の１枚には口の穴を設け、
２枚を重ね合わせたとき該目の穴と該口の穴とが重なり合い、
目の穴と口の穴以外の切り込みを設けないことを特徴とし、
請求項１に記載の化粧用フェイスマスク収納容器への収納に適した化粧用フェイスマスク。
【請求項５】
剥離シートに、剥離を容易とするための耳を設けたことを特徴とする請求項４に記載の化粧用フェイスマスク。
【請求項６】
素材がゲルシートであることを特徴とする請求項４に記載の化粧用フェイスマスク。
【考案の詳細な説明】
【技術分野】
【０００１】  本考案は、顔面に適用される化粧用フェイスマスクを２分割することと、その２分割された化粧用フェイスマスクを収納する収納容器に関する。
【背景技術】
【０００２】  ローション等の化粧用液体を含浸させた不織布シートは、皮膚、特に顔の美容トリートメントに使用されてきた。顔用に設計され、顔に貼り付けて使用する美容シートを化粧用フェイスマスクという。不織布製化粧用フェイスマスクは通常１枚のシートで構成され、顔面の凹凸に対応して皮膚に密着させるため切り込みを設けている（意匠文献１）。【０００３】  ゲルを利用したゲルシートが化粧用フェイスマスク素材として適当なことが最近知られてきた（特許文献１、２）。ゲルシートは不織布より伸縮性は良いがより破れやすく、その取扱には格段の注意が必要である。ゲルシート製化粧用フェイスマスクは貼付後水分を補給すればやがて溶け広がっていく。【０００４】  化粧用フェイスマスクは通常、アルミホイル等でできた袋又はサックの中に折畳まれて収容され、包装体に入れて販売されている。化粧用フェイスマスクを使用するときは、包装体の袋又はサックを切断して、フェイスマスクを袋又はサックから取り出し、空中で広げ、皮膚に適用する。【０００５】  ゲルシート製フェイスマスクを保持する収納袋も提案されている（特許文献２）が、ゲルシートで作られた美容シートは破れやすいため袋から取り出すことが容易ではない。そのためゲルシート製のフェイスマスクの収納に適した収納容器が求められてきた。
【先行技術文献】
【特許文献】
【０００６】
【特許文献１】特開２０１３−０２２３５７（塚本進一）
【特許文献２】特開２００６−３０６８１９（タイキ）
【意匠文献】
【０００７】
【意匠文献１】
意匠登録第１４４２４５８号
【考案の概要】
【考案が解決しようとする課題】
【０００８】  ゲルシート製の化粧用フェイスマスクは不織布より機械的強度が小さいため、通常２枚の剥離紙で挟んだ状態で取り扱われ、その便利で安全な収納容器が求められている。本考案の第１の目的は、化粧用フェイスマスクを衛生的かつ安全に保管・運搬できる収納容器を提供することである。【０００９】  ゲルシートは破れやすいので、１枚のシートで顔面全体を覆おうとすると貼付中に破損する危険が大きい。本考案の第２の目的は、上記の収納容器に収納するに適し、かつ簡便に顔面全体を覆うゲルシート製の化粧用フェイスマスクを提供することである。
【課題を解決するための手段】
【００１０】  上記第１の課題を解決するためになされた本考案に係る化粧用フェイスマスク収納容器は、本体と蓋とで構成され、該本体は、最外周である周辺部と、該周辺部の内部に該周辺部より窪んだ底面部と、該底面部の内部に該底面部より高い架台部と、さらにそれより高く該周辺部と同一平面上にある高台部を有し、該蓋は、最外周である蓋周辺部と、該本体の底面部に対応する位置に該底面部と同一形状の窪み部を有し、該本体の高台部に対応する位置に蓋周辺部と同一平面上にある上面部を有し、該本体と該蓋の間に化粧用フェイスマスクを２枚収容でき、化粧用フェイスマスクの目と口の穴を高台部に通して化粧用フェイスマスクを固定していることを特徴とする。【００１１】  化粧用フェイスマスク収納容器は、さらに、本体の底面部と架台部の上面全面、及び蓋の窪みの下部全面に高さ及び径が０．５〜１．５ｍｍの多数の凹凸部を設けることが好ましい。化粧用フェイスマスクが密着して取り出しにくくなるのを防止するためである。【００１２】  化粧用フェイスマスク収納容器は、透明若しくは半透明プラスチック製とすることが好ましい。中が見える方が注意を引くからである。
化粧用フェイスマスクの剥離シートが耳を有するときは、耳の形状に合わせて底面部を拡張することが好ましい。拡張した部分には、凹凸加工を施さなくてもよい。
本化粧用フェイスマスク収納容器の全体形状は、角を丸めた長方形状とするのが取り扱いやすく好ましい。【００１３】  本収納容器に２枚の化粧用フェイスマスクを収納する際、１枚は底面部の凹凸加工された部分の上に置かれ、もう１枚は架台部の凹凸加工された部分の上に置かれる。これにより２枚の化粧用フェイスマスクは、少なくとも中央部分が離間して収納されているので、取り出すときに容易に別々に取り出すことができる。
なお、本明細書において上及び下の語を用いるとき、容器の本体を下に置き、その上から蓋を被せるとの位置関係を基準に述べる。【００１４】  上記第２の課題を解決するためになされた本考案に係る化粧用フェイスマスクは、２枚を１組とし、１枚には目の穴を設け、他の１枚には口の穴を設け、２枚を重ね合わせたとき該目の穴と該口の穴とが重なり合い、目の穴と口の穴以外の切り込みを設けないことを特徴とする。重なり合った目の穴と口の孔を前記化粧用フェイスマスク収納容器の高台部に通して収納容器に固定する。【００１５】  顔面は曲面である。従来の不織布製のフェイスマスクでは顔面全体を覆うため、フェイスマスクに切り込みを設けるのが通例であった（意匠文献１）。しかしゲルシートによりフェイスマスクを作成すれば、ゲルシートは伸縮性に優れているので、切り込みを設けることなく引き延ばしながら曲面である顔面全体に貼付することができる。
ここに切り込みとは、目や口のための穴のほか、直線的あるいは曲線的な線状の切り込みも含まれる。伸縮性の少ない材質により曲面である顔面を覆うためには、切り込みは不可欠である。【００１６】  １組のフェイスマスクのうち、目の穴を有する１枚は、額から目の周辺、鼻とその横の頬に適用される。口の穴を有する１枚は、鼻の下から口の周辺、口の横の頬から顎のあたりに適用される。２枚が部分的に重なっても何ら問題を生じない。
１組となる化粧用フェイスマスクの横幅をほぼ等しくすると、収納容器への収納が容易となり好ましい。【００１７】  ゲルシート製の化粧用フェイスマスクは、顔の上の部分用と下の部分用の２枚に分割して顔面に貼付するのが適当である。これはゲルシートが破れやすいので、顔面への貼付を容易にするためである。【００１８】  ゲルシート製化粧用フェイスマスクは貼付後水分を補給すればやがて全体的に消失する。好適な使用方法は入浴時を利用することである。入浴前に貼付し、１０〜２０分間湯船につかれば肌に潤いを与え、その後マッサージすればゲルは溶けていき、顔全体になじませることができる。【００１９】  化粧用フェイスマスクは、１枚のゲルシートを２枚の剥離シートで挟んで保護した形で出荷され流通する。剥離シートは使用の際に剥離される。この剥離シートには、つまんで剥離しやすいように耳を設けるのが好ましい。
【考案の効果】
【００２０】  本考案の化粧用フェイスマスク収納容器によれば、１つの容器に同時に使用する２枚の化粧用フェエイスマスクを、目の穴と口の穴が重なるよう重ねると、目の穴は口の穴の範囲の中に入るので容易に保持することができる。ゲルシート製の化粧用フェイスマスクはきわめて破損しやすいので、このような容器に収納することにより、保管・輸送中や取り出しにさいしての破損を防止することができる。化粧用フェイスマスクが柔軟なシートであるとしても、開封するときまで衛生的に保持できる。【００２１】  本考案のゲルシート製フェイスマスクは、顔の上半分用と下半分用に２分割されているので、貼付のさい破れにくく好適に使用できる。
本考案のゲルシート製フェイスマスクは、２分割された２枚で構成され、顔面に貼付しやすく、この２枚を重ねると一方の目の穴が他方の口の穴と重なっているので取扱が容易である。
【図面の簡単な説明】
【００２２】
【図１】実施例で用いた２枚の化粧用フェイスマスクの図。
【図２】図１の２枚のフェイスマスクを重ねたときの図。
【図３】図１のフェイスマスクから剥離シートを剥ぎ取ったゲルシートの図。
【図４】図３のフェイスマスクの上半分の別の形態のゲルシートの図。
【図５】化粧用フェイスマスク収納容器の本体の図。
【図６】化粧用フェイスマスク収納容器の蓋の図。
【図７】本収納容器に２枚の化粧用フェイスマスクを収納したときの容器の概略図。
【考案を実施するための形態】
【００２３】  以下、本考案の実施の形態を実施例に基づき説明する。本実施例は顔面に貼付する２枚１組のフェイスマスクを想定して設計された収納容器であるが、他の目的の複数枚の化粧用フェイスマスクの収納にも適宜設計変更すれば容易に転用できる。
【実施例１】
【００２４】  化粧用フェイスマスクはゲルシートを２枚の剥離シートで上下を挟んだ形で流通している。剥離シートには、剥離を容易とするため図の左側に耳を設けている。耳は剥離シートにのみ設けられ、ゲルシートには設けられていない。本実施例に用いた２枚の化粧用フェイスマスクを剥離シートと共に図１に示す。
この２枚は顔の上下に貼付するためのもので、フェイスマスク（ａ）には目の位置に穴が設けられ、フェイスマスク（ｂ）には口の位置に穴が設けられている。なお、剥離シートは使用のさい剥離される。【００２５】  ２枚のフェイスマスクを重ねたときの図を図２に示す。この図に示されるように、２枚のフェイスマスクは横幅がほぼ同じであり、目の穴と口の穴がうまく重なるように設計されており、うまく重なるようにデザインされている。【００２６】  図１の２枚のフェイスマスクから剥離紙を剥ぎ取り、ゲルシートのみとしたときのゲルシートの形状を図３に示す。剥離紙の耳の部分に相当する部分が欠けている。
図３のフェイスマスクのゲルシートの部分について、上半分のゲルシートが別の形態をとったときの形状を図４に示す。
顔面の上半分のみをケアしたいときは、上半分のみを用いることができる。
【実施例２】
【００２７】  本化粧用フェエイスマスク収納容器は透明なプラスチック製であり、本体と蓋とで構成されている。図５に本化粧用フェエイスマスク収納容器の本体を示す。
図５（ａ）に本体の平面図を示す。本体は、最外周である周辺部１と、該周辺部の内部に該周辺部より窪んだ底面部２と、底面部より高い架台部３と、さらにそれより高い高台部４を有し、底面部は耳の部分に対応し拡張されている。底面部と架台部は凹凸加工されて凹凸を有している。【００２８】  図５（ｂ）は容器のＡ−Ａ断面図である。図の上の実線で示したのが周辺部と高台部及び周辺部及び高台部を含む直線である。図の下の実線で示したのが底面部と架台部である。
凹凸加工されている部分は波線で示されている。
底面部２は周辺部１より窪んでおり、架台部３はそれより少し高いが周辺部２よりは低く、高台部４は周辺部２と同じ高さとなっている。底面部２の内フェイスマスクが置かれる位置は凹凸加工されているが、耳の置かれる場所はされていない。【００２９】  図６に本化粧用フェエイスマスク収納容器の蓋を示す。
図６（ａ）は蓋の平面図を示す。蓋は、最外周である蓋周辺部６と、本体の底面部に対応する位置に底面部と同一形状の窪み部７を有し、架台部に対応する位置に蓋周辺部と同一平面をなす上面部８を有している。窪み部７の下面は凹凸加工されている。【００３０】  図６（ｂ）は蓋のＡ−Ａ断面図である。図の上の実線で示したのが蓋周辺部と上面部及び蓋周辺部途上面部を含む直線である。図の下の実線で示したのが窪み部である。窪み部のうち凹凸加工されている部分は波線で示されている。
窪み部７は蓋周辺部６より下がっているが、上面部８は蓋周辺部６と同じ高さとなっている。
この蓋を本体に被せると、本体の周辺部１と蓋の蓋周辺部６とが密着し、本体の底面２と蓋の窪み部７が２枚のフェイスマスクを挟んでほぼ密着し、さらに、本体の架台部３と蓋の窪み部７とが１枚のフェイスマスクを挟んでほぼ密着するように設計されている。本体の高台部４と蓋の上面部８とは密着している。【００３１】  本収納容器の蓋には本体から取り外しやすいように取手９が、対応する本体の位置には切り込み５が設けられている。
図７には、本実施例の収納容器に図１の１対の化粧用フェイスマスクを図２のように重ねて収納したときの図が示されている。
【符号の説明】
【００３２】１        収納容器本体の周辺部
２        収納容器本体の底面部
３        収納容器本体の架台部
４        収納容器本体の突起部
５        収納容器本体の切り込み
６        収納容器蓋の蓋周辺部
７        収納容器蓋の窪み
８        収納容器蓋の突起
９        収納容器蓋の取手
【図１】
0003185681.tif 000003
【図２】
0003185681.tif 000004
【図３】
0003185681.tif 000005
【図４】
0003185681.tif 000006
【図５】
0003185681.tif 000007
【図６】
0003185681.tif 000008
【図７】
0003185681.tif 000009